(57)【要約】容器（１）は、容器を閉じるために互いに結合しかつ容器を開くために分離し得る、第１及び第２部分（３、５）を具備する容器本体、保持部材（１３）を具備する保持装置（１１）、及び解放部材（１５）を備える。保持部材は、自身が容器本体の第１及び第２部分（３、５）を互いに保持し合うことにより容器を閉ざされた状態にする。保持部材（１３）は、該保持部材（１３）に対する解放部材（１５）の運動により自身の保持位置から手動で解放可能である。容器は、１つ又は複数の製薬タブレットを収容するのに特に適している。
2005518310.tif 000002
【特許請求の範囲】
【請求項１】
容器を閉じるために互いに結合しかつ容器を開くために分離し得る、第１及び第２部分を具備する容器本体、及び、保持部材及び解放部材を具備する保持装置を備え、前記保持部材は、自身が前記容器本体の第１及び第２部分を互いに結合した状態に保持することにより前記容器を閉じた状態に保持し、前記保持部材は、該保持部材に対する前記解放部材の運動により自身の保持位置から手動で解放可能である容器。
【請求項２】
前記解放部材の前記運動は、前記保持部材をその保持位置から係合解除する、請求項１に記載の容器。
【請求項３】
前記保持部材の前記運動は、前記保持部材を、その保持位置から係合解除可能にする、請求項１に記載の容器。
【請求項４】
前記解放部材の前記運動後、前記容器本体の部分の少なくとも１つに対する前記保持部材の運動が該容器を開放するように、前記容器が配置される、請求項１から請求項３までのいずれか１項に記載の容器。
【請求項５】
前記保持部材の前記運動は、前記容器本体の他の部分に対する該容器本体の部分の１つの運動である、請求項４に記載の容器。
【請求項６】
前記解放部材の前記運動後、前記容器本体の部分の少なくとも１つに対する前記保持部材の運動が該容器を開放可能にするように、前記容器が配置される、請求項１から請求項３までのいずれか１項に記載の容器。
【請求項７】
前記保持装置と、前記容器本体の第１及び第２部分とは、単一の一体部品として成形されたものである、請求項１から請求項６までのいずれか１項に記載の容器。
【請求項８】
前記保持装置の保持部材は、前記容器が閉じた時に前記容器本体の他の部分を押圧するように弾発的に偏倚された該容器本体の部分の１つの部材を備える、請求項１から請求項７までのいずれか１項に記載の容器。
【請求項９】
前記保持部材は、前記容器本体の他の部分の内部表面を外向きに押圧するように弾発的に偏倚される、請求項８に記載の容器。
【請求項１０】
前記保持部材は前記容器本体の前記第２部分の部材である、請求項８または請求項９に記載の容器。
【請求項１１】
前記保持部材がその保持位置にある時、該保持部材が前記容器本体の他の部分の凹所、開口又は突出部と互いに錠止し合う、請求項８から請求項１０までのいずれか１項に記載の容器。
【請求項１２】
前記解放部材の前記運動は、前記保持部材をその保持位置から係合解除するように該保持部材の弾発的偏倚に対して働く、請求項８から請求項１１までのいずれか１項に記載の容器。
【請求項１３】
前記解放部材の前記運動は、他の部分の前記内部表面から離すように前記保持部材を後退させる、請求項１２に記載の容器。
【請求項１４】
前記解放部材及び前記保持部材は、前記解放部材の前記運動に基づいて前記保持部材をその保持位置から係合解除するために協働する面取りされた面を具備する、請求項１から請求項１３までのいずれか１項に記載の容器。
【請求項１５】
前記解放部材は前記保持部材の部品と同じ前記容器本体の部品から成る部材である、請求項８から請求項１２までのいずれか１項に記載の容器。
【請求項１６】
前記解放部材は前記容器の外部から直接又は間接にアクセス可能である、請求項１から請求項１５までのいずれか１項に記載の容器。
【請求項１７】
前記解放部材は、前記容器が、例えば、ボタン、膜あるいはフラップによって閉じる時に前記容器の外部から直接又は間接にアクセス可能である、請求項１６に記載の容器。
【請求項１８】
前記解放部材は、前記容器の外部から手動で押し下げられることによって前記保持部材をその保持位置から係合解除するように配置される、請求項１から請求項１７までのいずれか１項に記載の容器。
【請求項１９】
前記解放部材は、手動で解放可能に互いに錠止し合うことによって、前記容器本体又はその構成部材と係合可能であり、こうして係合した時、該解放部材は前記保持部材をその保持位置に固定する、請求項１から請求項１８までのいずれか１項に記載の容器。
【請求項２０】
容器を閉じるために互いに結合しかつ該容器を開くために分離し得る、第１及び第２部分を具備する容器本体、及び、保持部材及び解放部材を具備する保持装置を備え、前記保持部材は、こうして係合したに、前記容器本体の第１及び第２部分を互いに結合した状態に保持される保持位置に自身を固定し、かつ係合解除した時に前記容器本体の第１及び第２部分を解放するためにその保持位置から移動可能にするように、手動で解放可能に互いに錠止させることによって、前記容器本体又はその構成部材と係合可能である、容器。。
【請求項２１】
前記解放部材は前記容器本体内又は該容器本体上の対応する開口と互いに錠止し合うように配置された突出部を備える、請求項２０に記載の容器。
【請求項２２】
前記解放部材は、前記容器本体の突出部を内部に受容するように解放可能に配置された開口を備える、請求項２０または請求項２１に記載の容器。
【請求項２３】
前記解放部材は、前記容器本体の第１部分又は第２部分の何れかの１のみと係合可能である、請求項２０から請求項２２までのいずれか１項に記載の容器。
【請求項２４】
前記容器の第１部分は該容器の蓋又はスリーブを成し、前記容器の第２部分は該容器の基部又はトレーを成し、前記トレーは前記容器を閉じるために前記スリーブ内に受容可能である、請求項１から請求項２３までのいずれか１項に記載の容器。
【請求項２５】
前記容器本体の第１及び第２部分は、前記容器を開閉するために互いに対して回転し得る１つ以上のヒンジによって連結される、請求項１から請求項２４までのいずれか１項に記載の容器。
【請求項２６】
前記解放部材と前記保持部材は互いに離隔配置されているが、物理的に互いに錠止されている、請求項１から請求項２５までのいずれか１項に記載の容器。
【請求項２７】
前記保持装置は、前記解放部材と前記保持部材の両方が結合される部材を更に備える、請求項２６に記載の容器。
【請求項２８】
１つ以上の全体的に平らな薬剤タブレットを保持」するのに適しており、前記容器の内部が前記タブレットパック、あるいは各タブレットパックを保持する手段を含む、請求項１から請求項２７までのいずれか１項に記載の容器。
【請求項２９】
前記保持手段は、前記タブレットパック又は各タブレットパックに係合するように配置された１つ以上の保持クリップを備える、請求項２８に記載の容器。
【発明の詳細な説明】
【技術分野】
【０００１】
本発明は容器、特に容器を閉じた状態に保持するための装置に関する。本発明は、特に製薬タブレット等のための容器に関するが、他の用途を有する容器に一般的に適用可能である。
【発明の開示】
【課題を解決するための手段】
【０００２】
本発明の第１の態様は、容器を閉じるために互いに結合しかつ容器を開くために分離し得る、第１及び第２部分を具備する容器本体、及び、保持部材及び解放部材を具備する保持装置を備える。保持部材は、自身が容器本体の第１及び第２部分を互いに結合した状態に保持することにより容器を閉じた状態に保持する。保持部材は、該保持部材に対する解放部材の運動により自身の保持位置から手動で解放可能である。
【０００３】
好ましくは、保持部材に対する解放部材のこうした運動は、その保持位置から保持部材を係合解除するか、あるいは、保持部材をその保持位置から係合解除可能にするかの何れかである。有利なことに、容器本体の部分の少なくとも１つに対する保持部材の引き続く運動は、好ましくは容器を開くか、あるいは容器を開放可能にするかの何れかである。
【０００４】
本発明の第２の態様は、容器を閉じるために互いに結合しかつ容器を開くために分離し得る、第１及び第２部分を具備する容器本体、及び、保持部材及び解放部材を具備する保持装置を備える。保持部材は、自身が容器本体の第１及び第２部分を互いに結合した状態に保持することにより容器を閉じた状態に保持する。保持部材は、こうして係合した時に容器本体の第１及び第２部分が互いに結合した状態に保持される保持位置に該保持部材を固定し、かつ係合解除した時に容器本体の第１及び第２部分を解放するためにその第１位置から移動可能にするように、手動で解放可能に互いに連結させることによって、容器本体又はその構成部材と係合可能である。
【０００５】
（少なくとも本発明の第２の態様では、解放部材は固定部材、あるいは固定及び解放部材として見なし得る。）
【０００６】
本発明は、容器を閉じた状態に保持する機能（これは保持部材によって行われる）が、保持部材を、該保持部材が容器をその閉じた状態（これは保持部材によって行われる）に保持するその保持位置でのその固定から開放する機能とは独立している。これは幾つかの理由のために有利である。
【０００７】
第１に、機能の分離は、例えば、容器が製薬タブレット等に使用される場合に重要になり得る、子供では開けられないか、あるいは子供がいたずらできない容器用開放機構を提供することができる。これは、小さな子供が通常では容器を開くのに必要な動作の両方（あるいは全て）を行なうことができないか、あるいは、それらは２つ（あるいはより多くの）動作が必要であることを理解し得ないからである。
【０００８】
第２に、少なくとも２つの別々の動作（すなわち、保持部材を開放し、かつ容器を開放する、あるいは別様に保持部材を開放し、保持部材を移動させ、及び容器を開放する）が容器を開放するために必要であるという事実は、一般に容器の偶発的な開放に対する安全確保の度合いを提供する。
【０００９】
第３に、保持及び固定機能の分離は容器を高齢者または身体的損傷のある人の使用の容易さのために構成可能にし得る。これは、第１に容器を開放可能にしかつ第２に実際に容器を開放可能にするのに必要な動作を物理的に分離することによって、容器の開放（これは当初は安全に閉じている）が、手動の敏捷性障害（例えば、関節炎）を抱える人々にとってより容易になし得るからである。例えば、２つの動作を行なうように配置された容器構成部材の物理的な間隔及び／又は寸法は、こうした人々によるそれらの使用を容易にするに十分大きくなし得る。
【００１０】
容器本体は、容器を閉じるために互いに結合しかつ容器を開くために分離し得る、第１及び第２部分を具備することを上述した。第１及び第２部分は完全に分離し得るものであり、かつ単に互いに結合し得るものであり、及び、容器が閉じた時に互いに結合して保持し得る。あるいは、容器が開放している時でさえ、容器本体の第１及び第２部分は互いに連結し得る。例えば、第１及び第２部分は、これらが容器を開閉するために互いに対して回転し得ることによって１つ以上のヒンジ又は同種のものによって連結し得る。
【００１１】
容器の第１部分は、容器の蓋又は外側スリーブを備え得る。また、容器の第２部分は容器に基部、あるいはスリーブに受容するように配置された容器のトレーを備え得る。この基部は蓋より大きくなし得るか、あるいは蓋は基部より大きくなし得るが、製薬タブレット等を保持するのに特に適している本発明の好ましい実施形態では、基部と蓋は実質的に同じ寸法及び形状をしている。
【００１２】
容器本体の第１及び第２部分に加えて、容器本体は１つ以上の付加部分を備え得る。例えば、本発明の幾つかの実施形態は、第１及び第２部分間に容器のヒンジ区域を構成する容器本体の第３部分を含む。
【００１３】
保持装置は保持部材及び開放部材を備えることも上述した。その保持位置では、保持部材は、容器が開くことができないように、容器本体の第１及び第２部分を保持する。この位置では、従って、保持部材は、これらの分離を阻止するために、容器本体の第１及び第２の両方の部分と係合するのが好ましい。有利なことに、保持部材は容器本体（例えば、第２部分、特にそれが基部又はトレーの形態である場合に）の第１又は第２部分の何れかを備え得る。あるいは、保持部材は、２つ（又はより以上の）離隔配置された腕を備え得る。これらの腕の各々はこれらの分離を阻止するために容器本体のそれぞれの部分と係合するように配置される。保持部材と容器本体部分のこうした係合は、それぞれの本体部分の対応するスロット又は他の開口内へ腕を挿入することを備え得る。あるいは、例えば、それは、それぞれの本体部分の対応する棚に腕を設置することを備え得る。
【００１４】
本発明の幾つかの実施形態では、保持装置の開放部材は、保持部材を、その保持位置から解放させるのみならず、移動された時にこのように解放させる以前にその保持位置の保持部材も固定する。こうした実施形態では、解放部材は、例えば、手動で押し下げることによって、容器本体又はその構成部材によって解放可能に相互連結可能である。例えば、解放部材は、容器本体内又は該容器本体上の対応する凹所又は他の開口、あるいは対応する突出部と互いに連動するように配置された突出部、好ましくは弾発的可撓性突出部を備え得る。さらに又は別様に、解放部材は容器本体の突出部（例えば、弾発的に曲げ易い突出部）を内部に受容するために解放可能に配置された凹所又は他の開口を備え得る。例えば、解放部材は、容器本体内又は該容器本体上に、スナップ嵌合式凹所又は他の開口を形成するように配置された弾発的に曲げ易い移動止めを備え得る。
【００１５】
こうした実施形態では、解放部材は、第１及び／又は容器本体の第２部分と係合可能であることが好ましい。好ましい実施形態では、解放部材は、容器本体の第１部分又は第２部分の何れか１つだけと係合可能である。例えば、解放部材は容器の蓋と係合し得る。
【００１６】
本発明の他の実施形態では、保持装置の解放部材は、それ自体その保持位置に保持部材を固定しない（すなわち、解放部材は固定部材ではない。）が、代わりにその保持位置から保持部材を単に解放する働きをする。こうした実施形態では、保持部材に対する解放部材を運動させることによる解放部材の作動は、保持部材を、その保持位置から解放させる。これは、例えば、容器本体の部分の１つ以上との連動係合から保持部材を係合解除する解放部材によって達成し得る。例えば、保持部材は、弾発的に偏倚させて容器本体の１つ以上の部分と連動するようにし（これにより容器を閉じた状態に保持）し得る。保持部材に対して解放部材を移動させることによる解放部材の作動は、解放部材をして、保持部材を解放するためにこうした弾発的偏倚に対して作動せしめる。これは、例えば、解放部材の１つ以上の楔又は面取りされた表面によって達成し得る。
【００１７】
解放部材は、それ自体、容器の外部からそれ自体アクセスし得る。別様に、解放部材は、容器の外部から、直接、アクセスし得ないが、代わりに、例えば、ボタン等、あるいは押し下げ可能な膜によって、直接、アクセスし得る。しかしながら、解放部材が単に間接的にアクセスし得るものだとしても、「手動で係合解除可能」という表現は、保持部材が容器本体（又はその構成部材）との係合からそれを解放するためのツールの使用を必要としないことを意味するように構成される。
【００１８】
解放部材及び保持装置の保持部材は、互いに離隔配置されることが好ましいが、物理的に互いに錠止し合うことが好ましい。これは、例えば、解放部材及び保持部材の両方が結合される、保持装置の一部を構成する別の部材によって達成し得る。
【００１９】
容器本体及び／又は保持装置は、例えば、ポリオレフィン（例えば、ポリプロピレン）、ポリアクリレート、ナイロン（登録商標）等のような重合体材料から形成されることが好ましい。容器本体と好ましくは保持装置は、モールド成形されることが好ましく、射出成形されることがより好ましい。有利なことに、容器本体は単一の一体物として射出成形し得る。さらに又は別様に、例えば、金属及び／又はカードのような他の材料を使用し得る。
【００２０】
既に言及したように、本発明による容器の好ましい使用は、製薬タブレット、ピル、カプセル等を収容するためである。「製薬タブレット」という表現は、何れかの種類の調合薬、薬物（慣用又は別様の）、ホメオパシー、栄養上（ビタミン又は別のものを含む）又は同様なタブレット、ピル、カプセル等、あるいは何れか他の固体、液体、あるいは半液体である他の分離した投薬を含むために本明細書で使用される。好ましくは、こうしたタブレットは、これら自体が、例えば金属フォイル及び／又は曲げ易い重合体材料及び／又はカード及び／又はカードから構成された１つ以上の全体的に平坦なパックで保持される。こうしたパックは、タブレット用の凹所を設けた真空成形されたトレーを備えるいわゆる「ブリスターパック」を含む。このトレーは、通常は金属製フォイル又は重合体材料又は紙又はカードから成る覆い層によって密封（通常は加熱密封）される。本発明のこうした実施形態に関して、容器の内部は、前記タブレット、あるいは各タブレット、パックに設けた１つ以上のそれぞれの開口に係合するように配置された、例えば、１つ以上の保持クリップである、前記タブレット、あるいはタブレットの各パックを保持する手段を含む。
【発明を実施するための最良の形態】
【００２１】
本発明の好ましい実施形態を例として添付図面を参照して説明する。
【００２２】
図１は、蓋形態をした第１部分３を具備する容器本体、及び基部形態をした第２部分５を備える製薬タブレットに適した容器１を示す。例えば、ポリプロピレンのような高分子材料から形成される容器は、例えば、１つ以上の全体的に平らなフォイルパックタブレットを収容するに適したものとした、平面図で見れば全体的に矩形をしておりかつ薄く、平らな形状を有する。
【００２３】
容器本体の第１及び第２部分３及び５は、容器の１つの薄い端縁を構成し、かつ、それ自体、重合体材料からなるウェブ９によって第１及び第２容器本体部分の両方に結合される第３部分７を具備するヒンジ領域によって互いに連結される。重合体ウェブは、容器を閉じるために容器本体の第１及び第２部分３及び５を（これらの反対側端縁で）互いに連結可能にしかつ容器を閉じるため（これらの反対側端縁で）分離可能にしながらも、ヒンジとして働く。図１に示すように、容器は閉じている。
【００２４】
図１は、容器の一部も構成し、かつナイロン（登録商標）から構成される保持装置１１も示す。保持装置１１は、細長い部材１７によって互いに錠止される保持部材１３及び解放部材１５を備える。保持部材は、ヒンジ付けされた端縁７とは反対側の容器の薄い端縁２３の対向する第１及び第２容器本体部分３及び５に形成された対応する棚２１に一致するように寸法づけられかつ形状づけられた一対の離隔配置された腕１９を備える。保持部材の腕１９が棚２１にそのように配置される時、すなわち、保持部材がその保持位置にある時、容器は、開放されないように阻止される。
【００２５】
保持装置１１の細長い部材１７は、装置の保持部材の離隔配置された腕１９の１つに結合され、かつ該腕が延在する方向と実質的に同じ方向にある腕から離れて延在する。実質的に堅固なグリップを具備する細長い部材１７は、保持部材１３がその保持位置にある（すなわち、棚２１に配置された）時に、蓋３内に棚２１を収容するように形成された凹所に設けたスロット２５に受容されるように寸法づけられ且つ形状づけられている。
【００２６】
保持部材１３がその保持位置にあり、かつ細長い部材１７がスロット２５内に受容されて容器の内部に延在する時、弾発的な曲げ易い突出部又は細長い部材によって担持される移動止めの形態をした解放部材１５は、容器の蓋３に設けられた開口２７と解放可能に係合する。このように、解放部材１５は、容器本体の第１及び第２部分３及び５が一緒に保持されるその保持位置の保持部材１３を固定する。解放部材１５は、容器１の外部からの解放部材を押し下げることによって開口から係合解除可能である。係合解除時、解放部材１５は、保持部材１３を、容器本体の第１及び第２部分を解放するその保持位置から移動可能にし、これにより容器を解放可能にする。容器を閉ざされた状態に保持し、かつ容器を閉ざされた状態に固定する機能は別々である。また、容器を開放するために２つの別々の動作（容器を実際に開放する前に）が必要である。
【００２７】
図２は、容器蓋３（これはこの視図では容器の基部５の真下に示されている）のスロット２５内に部分的に挿入された細長い部材と共に、保持装置１１の保持部材１３の詳細を示す。
【００２８】
図３は、容器の内部の詳細、そして特に蓋３（基部５は示されていない）の内部下側２９の詳細を示す。保持部材１３は、その保持位置にある（基部が明瞭化のために図示されていないので、保持部材は蓋３の棚のみに配置されている）。保持装置１１の細長い部材１７は、蓋のスロット２５を貫通して延在し、蓋の下側２９に沿って延在して示されている。細長い部材１７は、蓋３の下側２９に形成された１対の案内部材によって案内される。案内部材は細長い部材の斜切された端部領域３１を案内するように形状づけられ且つ寸法づけられる。既に言及したように、弾発的に曲げ易い突出部又は移動止めを備える解放部材１５は、蓋３の開口２７内に受容される。
【００２９】
図４ａは、図１〜図３に示した容器の変更形態の内部詳細を示す。特に、この詳細は、容器の端縁部分７を含む、容器のヒンジ領域の１端部を示す。端縁部分の内部は、容器に収容すべき（ここで規定するような）タブレットのパック３５を保持するための複数（図示するように３つ）の保持クリップ３３を含む。ヒンジ部分（図示せず）の反対側端部に３つの保持クリップの対応する組がある。保持クリップ３３は、タブレットパックの端縁領域に設けられた開口３７内に受容されるように配置される。図示するように、互い違いのクリップが反対配向に配置され、かつ図４ｂに示すように、対向するクリップは僅かにプロファイルが重なるように配置され、その結果、各タブレットパックは捕捉され、従ってクリップによって保持される。しかしながら、クリップは彎曲しており、これによりアクセスのし易さ及び各パックからのタブレットの取り外しのために、タブレットパックはクリップによって保持されながらも回動可能である。
【００３０】
図５（視図ａからｃまで）は、容器の基部５の内部に実質的に平行に延在する張り出しクリップ部分３９が、該クリップ部分より下にある基部５に設けられた開口４３内に突出する下向きに突出する拍車状突起４１を具備する、タブレットパック用保持クリップ３８の別形態を示す。拍車状突起４１は、タブレットパックの開口３７が拍車状突起と係合し得るように、タブレットパックの端縁の挿入を容易にするために傾斜した先端縁４５を具備する。拍車状突起４１の後端縁は傾斜されていないため、保持クリップからのタブレットパックの取り外しその挿入より困難である。図５ａは、保持クリップ３８及びタブレットパック３５の斜視図である。図５ｂは側面図である。また、図５ｃは基部５の下側の平面図である。
【００３１】
図６は、一緒に容器を構成する、スリーブ５１（すなわち第１部分）及びトレー５３（すなわち第２部分）を備える、本発明の第２実施形態を示す。また、（図８に示すような）トレーの側壁に設けられた移動止め５７の下でトレー５３内で受容且つ保持されるように寸法づけられ且つ形状づけられた、タブレットのブリスターパック５５が示されている。さらに、例えば、タブレットに関連するデザイン及び情報を印刷し得る）カードインレー５９が示されている。カードインレー５９は、移動止め５７の下でトレー５３内で保存されるために寸法づけられ且つ形状づけられており、また、（図８にも示すように）ブリスターパック上のタブレットの「ブリスター」及び他の突出部が突出し得る開口６１を含む。
【００３２】
スリーブ５１は、内部にきっちりと収まるように（ブリスターパック及びカードインレーを収容する）トレー５３を受容すべく寸法づけられ且つ形状づけられている。カードから形成されることが好ましいが、例えば、プラスチック材料から形成し得るスリーブは、トレーを内部に貫挿し、かつスリーブから取り外し得る開放端部６３を除いて閉じた全体的に矩形の箱を備える。トレー５３はプラスチック材料から形成されることが好ましい（及び射出成型されることが好ましい）。
【００３３】
図７は、図６のトレー５３を単独で示す。トレー５３は、内部に、例えば、（図６に示すような）タブレットのパックを収容し得る格納部分６５を備える。トレー５３は、トレーの一体部分であり（及びこのようにモールド成形されることが好ましい）保持装置６７をも備える。保持装置６７は１対の保持部材６９と、開放部材７１と、を備える。各保持部材６９は、トレーの側壁の一部の回動され、図７に示すように外向きに（射出成形された”回転”ヒンジ７３によって）弾発的に偏倚される。解放部材７１は、図７に示すように、トレーの残部から離れた方向に延在するようにプレートが弾発的に偏倚されるように、射出成形された回動ヒンジによってトレーの端部壁７５に結合されるプレートを備える。解放部材７１の反対側両端部は突出部７７を含む。この突出部の各々は突出部の内側に面する表面上の該突出部の端部から延在する面取りされた面７９を具備する。これらの突出部７７及び面取りされた面７９は、図８を参照して説明するように、各保持部材６９の内部表面に設けられた対応する面取りされた開口８１内に嵌まるように配置される。
【００３４】
図８は、タブレットブリスターパック５５及びカードインレー５９がトレー５３内に収容された状態の、図６及び図７の容器を示す。トレー５３は、スリーブ５１からの自身の取り外しに直後（あるいは別様にスリーブ内の自身の挿入より直前）の状態で示されている。解放部材７１は、回動ヒンジによってそれが結合されるトレーの端部壁７５の低い部分上に折り重ねられてきた。その結果、解放部材のプレートは、トレーの平面に全体的に平行に横たわり、かつトレーの端部領域に重なる。解放部材７１をこの配向により、トレーは、自身がスリーブ内に完全に収容されるように該スリーブ５１に挿入し得る。
【００３５】
トレー５３がスリーブ５１内に完全に挿入される時、保持部材６９（これらはスリーブの側壁に対して外向きに偏倚されている）は、スリーブの側壁の内部表面に設けられた突出部及び／又は凹所（例えば、図示しない切抜き）で互いに錠止する。このように、トレーは、スリーブから取り外されないように阻止される。スリーブの上側表面の端部領域（開放端６３に対してスリーブの反対側端部における）は、スリーブの上側表面に押し下げられるフラップ８３を形成するスロットを含む。この押し下げられるフラップ８３（これは好ましくはマーキング、押し下げられるべきであることを示すために、例えば、図示したようなマーキングを含む）は、トレーがスリーブ内に収容される時に解放部材７１と整合するように配置される。フラップ８３が押し下げられると、これは、また、トレーの残部に対して解放部材７１を押し下げる。解放部材の押し下げは、突出部７９を、保持部材６の開口８１内に延在させる。また、突出部７９及び開口８１の面取りされた表面は、保持部材を内向きに引っ張るように協働し、これにより、スリーブの内部との互いに錠止し合うこれら保持部材の係合を解放する
【００３６】
その後、トレー５３は、トレーの反対側端部に設けられた「フィンガープル（fingerpull）」凹所８５の支援によってスリーブ５１から引き出され得る。これは、スリーブの対応する切抜き部分８７によってアクセス可能である。したがって、トレー５３は、２つの段階的手続によってものスリーブ５１から取り外し得る。これにより、トレー上の保持部材（これらは容器を閉ざされた状態に保持する）は、第１にトレーの解放部材によって自身の保持位置から解放可能であり、続いてこのトレーはスリーブから引き出し得る。
【００３７】
図１０（視図（ａ）及び（ｂ））は、本発明による容器の第３実施形態を示す。この実施形態は、スリーブ９１内に摺動して受容されるトレー９３を備える。この実施形態では、しかしながら、保持装置９５はシートを備え、このシート（例えば、カード製又はプラスチック材料製）は、その幅を横切って形成された溝９７を具備しかつシートを収縮形状構成に向けて弾発的に偏倚させる。さらに、この実施形態では、保持装置は、（トレー９３よりはむしろ）スリーブ９１の一部を構成し、かつ好ましくは接着剤９９によってスリーブの内部表面に固着される。
【００３８】
トレー９３がスリーブ９１内に完全に挿入され、かつ保持装置９５がその緩んだ（収縮した）形状構成にある時、溝９７はトレー９３の側壁の対応する溝１０１（これらの溝ｎの１つのみを図示した）と互いに錠止連結する。スリーブからトレーを引き出すために、図１０ａに矢印で示されたよって示された方向にトレー及びスリーブに対してシート保持装置９５を引っ張ることが必要である。支持装置９５の部分１０２は容器の外部からスリーブの切抜き部分１０３を介してアクセス可能である。そして、アクセス可能な部分１０２は、保持装置の解放部材に寄与する。容器の残部に対してこのようにシート保持装置を引っ張ることは、シートを真っすぐにし、これにより対応する溝１０１（すなわち、その保持位置から保持部材を解放する）から溝９７（この溝は保持装置の保持部材を構成する）を解放し、トレー８３がスリーブ９１から吹き続いて引き出されることを可能にする。
【図面の簡単な説明】
【００３９】
【図１】容器の本体から分離して示された保持装置を含む、本発明による容器の実施形態を示す図である。
【図２】容器内に部分的に挿入された保持装置と共に、図１の容器の外部の詳細を示す図である。
【図３】容器内に完全に挿入された保持装置と共に、図１及び図２の容器の内部の詳細を示す図である。
【図４ａ】本発明による容器内のタブレットのパックを保持するための保持クリップの詳細を示す図である。
【図４ｂ】本発明による容器内のタブレットのパックを保持するための保持クリップの詳細を示す図である。
【図５ａ】本発明による容器内のタブレットのパックを保持するための保持クリップの別の形態の詳細を示す図である。
【図５ｂ】本発明による容器内のタブレットのパックを保持するための保持クリップの別の形態の詳細を示す図である。
【図５ｃ】本発明による容器内のタブレットのパックを保持するための保持クリップの別の形態の詳細を示す図である。
【図６】本発明による容器の第２実施形態の種々の主要構成部材を示す図である。
【図７】図６の容器のトレー（すなわち容器本体の第２部分）を示す図である。
【図８】スリーブ（すなわち容器本体の第１部分）からの取り外しに直ちに引き続く図７のトレーを示す図である。
【図９】図６から図８までの容器が完全に閉じた状態を示す図である。
【図１０ａ】本発明による容器の第３実施形態を示す図である。
【図１０ｂ】本発明による容器の第３実施形態を示す図である。
【符号の説明】
【００４０】
１  容器
３  第１部分
５  第２部分
７  第３部分
９  ウェブ
１１  保持装置
１３  保持部材
１５  解放部材
１７  細長い部材
１９  腕
２１  棚
２３  端縁
２５  スロット
２７  開口
２９  下側
３１  端部領域
３３  保持クリップ
３５  タブレットパック
３８  タブレットパック用保持クリップ
３９  張り出しクリップ部分
４１  拍車状突起
４３  開口
４５  先端縁
５１  スリーブ
５３  トレー
５５  ブリスターパック
５７  移動止め
５９  カードインレー
６１  開口
６３  開放端部
６５  格納部分
６７  保持装置
６９  保持部材
７１  解放部材
７３  回転ヒンジ
７５  端部壁
７７  突出部
７９  面取りされた面
８１  開口
８３  フラップ
８５  凹所
８７  切抜き部分
９１  スリーブ
９３  トレー
９５  保持装置
９７  溝
９９  接着剤
１０１  溝
１０２  部分
１０３  切抜き部分
【図１】
2005518310.tif 000003
【図２】
2005518310.tif 000004
【図３】
2005518310.tif 000005
【図９】
2005518310.tif 000006
【図４（ａ）】
2005518310.tif 000007
【図４（ｂ）】
2005518310.tif 000008
【図５（ａ）】
2005518310.tif 000009
【図５（ｂ）】
2005518310.tif 000010
【図５（ｃ）】
2005518310.tif 000011
【図６】
2005518310.tif 000012
【図７】
2005518310.tif 000013
【図８】
2005518310.tif 000014
【図１０（ａ）】
2005518310.tif 000015
【図１０（ｂ）】
2005518310.tif 000016
【国際調査報告】
2005518310.tif 000017
2005518310.tif 000018
2005518310.tif 000019